(57)【特許請求の範囲】
【請求項１】
足場枠を構成している単管の上に掛け渡した隣接する２枚の足場板を単管に固定する足場板の固定具であって、
単管に横方向から係合可能な横Ｕ字状の係合部材と、
横Ｕ字状の前記係合部材の上面から立ち上がるように前記係合部材に連設された、少なくとも上部外周面に雄ねじ部が形成された軸部材と、
前記軸部材の雄ねじ部がねじ込まれた押圧板と
を備え、
前記押圧板が隣接する双方の足場板の側縁部に張り出すように、隣接する足場板間で前記係合部材を単管に横方向から係合させた状態で、前記押圧板を回転させてねじ込むことで、隣接する２枚の足場板の側縁部を単管に押圧して固定するようにした足場板の固定具。
【請求項２】
前記押圧板には、その上面に回転操作用の係止部が設けられている請求項１に記載の足場板の固定具。
【請求項３】
請求項２に記載の足場板の固定具における前記押圧板を回転操作するための操作治具であって、
前記押圧板から突出した前記軸部材の上端部が挿通される挿通孔を有し、その挿通孔に挿通された軸部材を中心に回転可能に前記押圧板上に載置されるベース板と、
前記ベース板の下面に設けられた、前記押圧板の係止部に係合する被係止部と、
前記ベース板の上面側に設けられた、前記ベース板を回転操作するための操作部と
を備えていることを特徴とする操作治具。
【請求項４】
足場枠を構成している単管の上に掛け渡した最端位置の足場板の外側縁部を単管に固定する足場板の固定具であって、
単管に横方向から係合可能な横Ｕ字状の係合部材と、
横Ｕ字状の前記係合部材の上面から立ち上がるように前記係合部材に連設された、少なくとも上部外周面に雄ねじ部が形成された軸部材と、
足場板の外側縁部における上面角部に配置される、足場板の上面に対応する部分に前記軸部材が挿通される断面逆Ｌ字状の押圧部材と、
前記押圧部材に挿通した状態で、前記軸部材の雄ねじ部にねじ込まれたナットと
を備え、
前記押圧部材の角部には、足場板の上面に対応する部分から足場板の側端面に対応する部分に渡って、前記軸部材が挿通される長孔が形成されており、
前記押圧部材を足場板の外側縁部における上面角部に沿わせるように、前記係合部材を単管に横方向から係合させた状態で、前記ナットをねじ込むことで、前記押圧部材が足場板の外側縁部を単管に押圧して固定するようにした足場板の固定具。
【発明の詳細な説明】
【技術分野】
【０００１】
この発明は、足場枠を構成している単管の上に掛け渡した足場板を単管に固定する足場板の固定具及びその固定具を用いて固定作業を行う際に使用する操作治具に関する。
【背景技術】
【０００２】
工事現場等において、足場を施工するには、単管を組み付けることによって足場枠を形成した後、この足場枠を構成している単管に足場板を掛け渡し、番線を用いて足場板を単管に固定するのが一般的である。
【０００３】
番線を用いて足場板を単管に固定するには、先ず、必要な長さに切断した番線で単管と足場板とを複数回巻き付け、その端部を締め付け工具であるシノを用いて締め付けた後、その余長部を切断して折り曲げることになる。
【先行技術文献】
【特許文献】
【０００４】
【特許文献１】実用新案登録第３０７０３４８号公報
【発明の概要】
【発明が解決しようとする課題】
【０００５】
しかしながら、足場板と単管とを番線で固定しようとすると、単管に掛け渡した足場板の前方側に作業者が身を乗り出すようにして、単管にクロスさせながら足場板に番線を巻き付けていく必要があるので、作業者が足場板から転落する危険性があると共に、足場板と単管とに巻き付けた番線をシノを用いて締め付ける作業は、熟練と労力を要するものであり、手間と時間がかかるといった問題がある。
【０００６】
さらに、足場の解体時には、番線を切断することによって足場板と単管との固定を解除することになるので、切断した番線は他の現場で再利用することができず、廃棄しなければならないという問題もある。
【０００７】
そこで、この発明の課題は、足場枠の単管に掛け渡した足場板を単管に安全かつ簡単に固定することができ、しかも、繰り返し使用することができる足場板の固定具を提供することにある。
【課題を解決するための手段】
【０００８】
上記の課題を解決するため、請求項１に係る発明は、足場枠を構成している単管の上に掛け渡した隣接する２枚の足場板を単管に固定する足場板の固定具であって、単管に横方向から係合可能な横Ｕ字状の係合部材と、横Ｕ字状の前記係合部材の上面から立ち上がるように前記係合部材に連設された、少なくとも上部外周面に雄ねじ部が形成された軸部材と、前記軸部材の雄ねじ部がねじ込まれた押圧板とを備え、前記押圧板が隣接する双方の足場板の側縁部に張り出すように、隣接する足場板間で前記係合部材を単管に横方向から係合させた状態で、前記押圧板を回転させてねじ込むことで、隣接する２枚の足場板の側縁部を単管に押圧して固定するようにした足場板の固定具を提供するものである。
【０００９】
また、請求項２に係る発明は、請求項１に係る発明の足場板の固定具において、前記押圧板には、その上面に回転操作用の係止部が設けられていることを特徴としている。
【００１０】
また、請求項３に係る発明は、請求項２に係る発明の足場板の固定具における前記押圧板を回転操作するための操作治具であって、前記押圧板から突出した前記軸部材の上端部が挿通される挿通孔を有し、その挿通孔に挿通された軸部材を中心に回転可能に前記押圧板上に載置されるベース板と、前記ベース板の下面に設けられた、前記押圧板の係止部に係合する被係止部と、前記ベース板の上面側に設けられた、前記ベース板を回転操作するための操作部とを備えていることを特徴とする操作治具を提供するものである。
【００１１】
また、上記の課題を解決するため、請求項４に係る発明は、足場枠を構成している単管の上に掛け渡した最端位置の足場板の外側縁部を単管に固定する足場板の固定具であって、単管に横方向から係合可能な横Ｕ字状の係合部材と、横Ｕ字状の前記係合部材の上面から立ち上がるように前記係合部材に連設された、少なくとも上部外周面に雄ねじ部が形成された軸部材と、足場板の外側縁部における上面角部に配置される、足場板の上面に対応する部分に前記軸部材が挿通される断面逆Ｌ字状の押圧部材と、前記押圧部材に挿通した状態で、前記軸部材の雄ねじ部にねじ込まれたナットとを備え、前記押圧部材の角部には、足場板の上面に対応する部分から足場板の側端面に対応する部分に渡って、前記軸部材が挿通される長孔が形成されており、前記押圧部材を足場板の外側縁部における上面角部に沿わせるように、前記係合部材を単管に横方向から係合させた状態で、前記ナットをねじ込むことで、前記押圧部材が足場板の外側縁部を単管に押圧して固定するようにした足場板の固定具を提供するものである。
【発明の効果】
【００１３】
請求項１に係る発明の足場板の固定具では、係合部材を単管に横方向から係合させる際、押圧板を足場板の上側に位置させた状態で、足場板の側縁に沿わせながらスライドさせることによって係合部材を単管に係合させればよいので、足場板と単管とを番線で固定する場合のように、単管に掛け渡した足場板の前方側に作業者が身を乗り出す必要がなく、作業者が足場板から転落する危険性が大幅に低減される。
【００１４】
また、この足場板の固定具を用いて隣接する２枚の足場板の側縁部を単管に固定するには、係合部材を単管に係合させた状態で、隣接する双方の足場板の側縁部に張り出している押圧板を回転させてねじ込むだけでよいので、作業者は熟練及び労力を必要とせず、簡単に短時間で足場板を単管に固定することができる。
【００１５】
また、足場を解体する際は、押圧板を逆方向に回転させて足場板の押圧状態を解除した後、係合部材を単管から離反する方向にスライドさせて単管との係合を解除するだけで取り外すことができるので、単管に対する足場板の固定解除作業も簡単に行うことができ、取り外した固定具は他の工事現場で繰り返し使用することができる。
【００１６】
また、この足場板の固定具を用いて足場板を単管に固定した状態では、足場板上に押圧板が載置され、その押圧板の中央部に軸部材の上端部が突出することになるが、その突出量が５〜２ｍｍ程度になるように軸部材の長さを設定しておけば、足場板上を歩行する作業者の障害となることもない。
【００１７】
特に、請求項２に係る発明の足場板の固定具のように、押圧板の上面に回転操作用の係止部を設けておくと、請求項３に係る発明の操作治具を押圧板の上に載せ、操作治具のベース板の下面に設けられた被係止部を押圧板の係止部に係合させた後、操作治具の操作部を操作することによってベース板を回転させると、それに伴って押圧板が回転し、押圧板を簡単に締め込んだり、緩めたりすることができるので、作業性が向上する。
【００１８】
また、請求項４に係る発明の足場板の固定具では、押圧部材を足場板の外側縁部における上面角部に沿わせるように、係合部材を単管に横方向から係合させる際、単管の後方側から係合部材を前方側に押し出すようにして単管に係合させればよいので、足場板と単管とを番線で固定する場合のように、単管に掛け渡した足場板の前方側に作業者が身を乗り出す必要がなく、作業者が足場板から転落する危険性が大幅に低減される。
【００１９】
また、この足場板の固定具を用いて足場板の外側縁部を単管に固定するには、係合部材を単管に係合させた後、ナットをねじ込むだけでよいので、作業者は熟練及び労力を必要とせず、簡単に短時間で足場板を単管に固定することができる。
【００２０】
また、足場を解体する際は、ナットを緩めて足場板の押圧状態を解除した後、係合部材を単管から離反する方向にスライドさせて単管との係合を解除すればよいので、単管に対する足場板の固定解除作業も簡単に行うことができ、取り外した固定具は他の工事現場で繰り返し使用することができる。
【００２１】
また、この足場板の固定具を用いて足場板を単管に固定した状態では、足場板の外側縁部の上面角部に配設された押圧部材における足場板の上面に対応する部分に軸部材の上端部が突出することになるが、その突出位置は最端位置の足場板の外側縁部であるので、軸部材の突出部が足場板上を歩行する作業者の障害となることもない。
【００２２】
特に、この足場板の固定具は、押圧部材の角部における足場板の上面に対応する部分から足場板の側端面に対応する部分に渡って、軸部材が挿通される長孔が形成されているので、ナットを外すことなく、軸部材の挿通位置を変更することができ、足場板の上面に対応する部分を足場板の側端面に対応する部分に、足場板の側端面に対応する部分を足場板の上面に対応する部分に入れ替えた状態で押圧部材を使用することが可能となる。従って、使用する足場板の厚みに合わせて、両部分の張出し長さをそれぞれ異なる長さに設定しておくと、厚みの異なる足場板に対応することができる。
【図面の簡単な説明】
【００２３】
【図１】（ａ）はこの発明に係る、隣接する２枚の足場板を単管に固定するための固定具の一実施形態を示す平面図、（ｂ）は同上の固定具を示す正面図、（ｃ）は同上の固定具を示す側面図である。
【図２】（ａ）は同上の固定具を構成している係合部材を示す正面図、（ｂ）は同上の係合部材を示す側面図である。
【図３】（ａ）は同上の固定具を構成している押圧板を示す平面図、（ｂ）は（ａ）のＸ−Ｘ線に沿った断面図である。
【図４】（ａ）は同上の固定具を構成している押圧板を回転操作するための操作治具を示す平面図、（ｂ）は同上の操作治具を示す側面図、（ｃ）は同上の操作治具を示す底面図である。
【図５】（ａ）〜（ｃ）は同上の固定具及び操作治具を用いて足場枠を構成している単管の上に掛け渡した隣接する２枚の足場板を単管に固定する足場板の固定作業を示す工程図（（ａ）は平面図、（ｂ）は正面図、（ｃ）は側面図）である。
【図６】（ａ）〜（ｃ）は同上の固定具及び操作治具を用いて足場枠を構成している単管の上に掛け渡した隣接する２枚の足場板を単管に固定する足場板の固定作業を示す工程図（（ａ）は平面図、（ｂ）は正面図、（ｃ）は側面図）である。
【図７】（ａ）〜（ｃ）は同上の固定具及び操作治具を用いて足場枠を構成している単管の上に掛け渡した隣接する２枚の足場板を単管に固定する足場板の固定作業を示す工程図（（ａ）は平面図、（ｂ）は正面図、（ｃ）は側面図）である。
【図８】（ａ）〜（ｃ）は同上の固定具及び操作治具を用いて足場枠を構成している単管の上に掛け渡した隣接する２枚の足場板を単管に固定する足場板の固定作業を示す工程図（（ａ）は平面図、（ｂ）は正面図、（ｃ）は側面図）である。
【図９】（ａ）〜（ｃ）は同上の固定具及び操作治具を用いて足場枠を構成している単管の上に掛け渡した隣接する２枚の足場板を単管に固定する足場板の固定作業を示す工程図（（ａ）は平面図、（ｂ）は正面図、（ｃ）は側面図）である。
【図１０】（ａ）はこの発明に係る、最端位置の足場板の外側縁部を単管に固定する足場板の固定具の一実施形態を示す平面図、（ｂ）は同上の固定具を示す左側面図、（ｃ）は同上の固定具を示す正面図、（ｄ）は同上の固定具を示す右側面図である。
【図１１】（ａ）は同上の固定具を構成している押圧部材を示す平面図、（ｂ）は同上の押圧部材を示す側面図、（ｃ）は同上の押圧部材を示す正面図である。
【図１２】（ａ）、（ｂ）は同上の固定具を厚みの異なる他の足場板に使用する場合の使用方法を説明するための説明図である。
【図１３】（ａ）〜（ｃ）は同上の固定具を用いて足場枠を構成している単管の上に掛け渡した最端位置の足場板を単管に固定する足場板の固定作業を示す工程図（（ａ）は平面図、（ｂ）は正面図、（ｃ）は側面図）である。
【図１４】（ａ）〜（ｃ）は同上の固定具を用いて足場枠を構成している単管の上に掛け渡した最端位置の足場板を単管に固定する足場板の固定作業を示す工程図（（ａ）は平面図、（ｂ）は正面図、（ｃ）は側面図）である。
【図１５】（ａ）〜（ｃ）は同上の固定具を用いて足場枠を構成している単管の上に掛け渡した最端位置の足場板を単管に固定する足場板の固定作業を示す工程図（（ａ）は平面図、（ｂ）は正面図、（ｃ）は側面図）である。
【図１６】（ａ）〜（ｃ）は同上の固定具を用いて足場枠を構成している単管の上に掛け渡した最端位置の足場板を単管に固定する足場板の固定作業を示す工程図（（ａ）は平面図、（ｂ）は正面図、（ｃ）は側面図）である。
【発明を実施するための形態】
【００２４】
以下、実施の形態について図面を参照して説明する。図１（ａ）〜（ｃ）は、この発明に係る固定具１を示している。この固定具１は、同図に示すように、足場枠を構成している単管の上に掛け渡した隣接する２枚の足場板を単管に固定するためのものであり、単管Ｐに横方向から係合可能な横Ｕ字状で断面が四角形状の係合部材１１と、横Ｕ字状の係合部材１１の上面から立ち上がるように係合部材１１に連設された、全ネジによって形成された軸部材１２と、この軸部材１２がねじ込まれた円形状の押圧板１３とから構成されている。
【００２５】
前記係合部材１１は、図２（ａ）、（ｂ）に示すように、単管Ｐに係合する半円部１１ａと、この半円部１１ａの上下端からそれぞれ水平に張り出す直線部１１ｂ、１１ｂとから構成されており、直線部１１ｂ、１１ｂの先端部には、単管Ｐに半円部１１ａを係合し易くするために傾斜面ｓが形成されている。
【００２６】
前記押圧板１３には、図３（ａ）、（ｂ）に示すように、中心に軸部材１２がねじ込まれるねじ穴１３ａが形成されていると共に、ねじ穴１３ａを中心とした対称位置に、図４（ａ）〜（ｃ）に示す回転操作用の操作治具３の凸部３２が嵌合する一対の嵌合穴１３ｂが形成されており、ねじ穴１３ａにねじ込まれた軸部材１２の上端部には、押圧板１３が脱落しないように、ねじ穴１３ａよりも大径のストッパ部材１２ａが固着されている。
【００２７】
前記操作治具３は、図４（ａ）〜（ｃ）に示すように、押圧板１３から突出した軸部材１２の上端部（ストッパ部材１２ａ）が挿通される挿通孔３１ａを有し、その挿通孔３１ａに挿通された軸部材１２を中心に回転可能に押圧板１３上に載置される円形状のベース板３１と、このベース板３１の下面から突出する、押圧板１３に形成された一対の嵌合穴１３ｂに嵌合可能な一対の凸部３２と、ベース板３１の上面から突出する、電動ドライバーのソケットビットに嵌合する平面六角形状の操作部３３と、ベース板３１に形成された吊下穴３４とから構成されており、操作部３３はベース板３１の挿通孔３１ａに一致する、軸部材１２の上端部が挿通可能な中心穴３３ａを有している。
【００２８】
以上のように構成された固定具１及び操作治具３を用いて足場枠を構成している単管の上に掛け渡した隣接する２枚の足場板を単管に固定する足場板の固定方法について、図５〜図９を参照しながら説明する。
【００２９】
まず、図５（ａ）〜（ｃ）に示すように、固定済みの足場板ＳＰに一方の側縁を当接させるように新たな足場板ＳＰを単管Ｐの上に掛け渡した後、図６（ａ）〜（ｃ）に示すように、固定具１の押圧板１３を軸部材１２の最上位に移動させ、その押圧板１３を足場板ＳＰの上側に位置させた状態で、２個の固定具１を足場板ＳＰの他方の側縁に沿わせてスライドさせることによって、それぞれの係合部材１１を足場板ＳＰの長手方向の両端側に位置する２本の単管Ｐにそれぞれ係合させる。
【００３０】
続いて、図７（ａ）〜（ｃ）に示すように、新たな足場板ＳＰを、その一方の側縁を固定具１に当接させるように、単管Ｐの上に掛け渡した後、図８（ａ）〜（ｃ）に示すように、操作治具３を、その挿通孔３１ａに固定具１の軸部材１２の上端部（ストッパ部材１２ａ）を挿通すると共に、一対の凸部３２を固定具１の押圧板１３の嵌合穴１３ｂに嵌合させた状態で、押圧板１３の上に載置し、この操作治具３の操作部３３を、電動ドライバーＥＤ等の工具を用いて回転操作することによって、固定具１の押圧板１３を締め込むと、図９（ａ）〜（ｃ）に示すように、固定具１の押圧板１３によって隣接する２枚の足場板ＳＰの側縁部が単管Ｐに押圧され、固定具１を介して隣接する２枚の足場板ＳＰが単管Ｐに固定される。なお、固定具１を用いて足場板ＳＰを単管Ｐに固定した状態では、軸部材１２の上端部の突出量が５〜２ｍｍ程度になるように、ストッパ部材１２ａを含む軸部材１２の長さが設定されている。
【００３１】
以上のように、この固定具１では、係合部材１１を単管Ｐに横方向から係合させる際、押圧板１３を足場板ＳＰの上側に位置させた状態で、足場板ＳＰの側縁に沿わせながらスライドさせることによって係合部材１１を単管Ｐに係合させればよいので、足場板と単管とを番線で固定する場合のように、単管に掛け渡した足場板の前方側に作業者が身を乗り出す必要がなく、作業者が足場板から転落する危険性が大幅に低減される。
【００３２】
また、この固定具１を用いて隣接する２枚の足場板ＳＰの側縁部を単管Ｐに固定するには、上述したように、係合部材１１を単管Ｐに係合させた状態で、隣接する双方の足場板ＳＰの側縁部に張り出している押圧板１３を回転させてねじ込むだけでよいので、作業者は熟練及び労力を必要とせず、簡単に短時間で足場板を単管に固定することができる。
【００３３】
また、足場を解体する際は、押圧板１３を逆方向に回転させて足場板ＳＰの押圧状態を解除した後、係合部材１１を単管Ｐから離反する方向にスライドさせて単管Ｐとの係合を解除するだけで取り外すことができるので、単管Ｐに対する足場板ＳＰの固定解除作業も簡単に行うことができ、取り外した固定具１は他の工事現場で繰り返し使用することができる。
【００３４】
特に、この固定具１では、上述したように、操作治具３を用いて押圧板１３を簡単に締め込んだり、緩めたりすることができるので作業性がよく、また、操作治具３には吊下穴３４が形成されているので、作業員は、腰にぶら下げたカラビナ等に引っかけた状態で操作治具３を持ち歩くことができ、携帯性もよい。
【００３５】
また、固定具１の押圧板１３や操作治具３のベース板３１は円形状で周縁に角部を有していないので、締め込んだり、緩めたりするために電動ドライバー等の工具を用いて押圧板１３を回転操作する場合であっても、作業者が手や指等に損傷を受けにくく、足場板ＳＰの固定作業や固定解除作業を安全に行うことができる。
【００３６】
また、この固定具１を用いて足場板ＳＰを単管Ｐに固定した状態では、足場板ＳＰ上に押圧板１３が載置され、その押圧板１３の中央部に軸部材１２の上端部が突出することになるが、その突出量が５〜２ｍｍ程度になるように軸部材１２の長さが設定されているので、足場板ＳＰ上を歩行する作業者の障害となることもない。
【００３７】
図１０(ａ)〜（ｄ）は、足場枠を構成している単管Ｐの上に掛け渡した最端位置の足場板の外側縁部を単管Ｐに固定する足場板の固定具２を示している。この固定具２は、同図に示すように、固定具１の係合部材１１及び軸部材１２と同様の係合部材２１及び軸部材２２と、足場板の外側縁部における上面角部に配置される、足場板の上面に対応する部分に軸部材２２が挿通される断面逆Ｌ字状の押圧部材２３と、この押圧部材２３に挿通した状態で、軸部材２２の雄ねじ部にねじ込まれたナット２４とから構成されている。なお、軸部材２２の上端部には、押圧部材２３に挿通した状態でねじ込まれたナット２４が脱落しないように、ナット２４のねじ穴よりも大径のストッパ部材２２ａが固着されており、軸部材２２の長さは、固定具１の軸部材１２の長さよりも８ｍｍ程度長く設定されている。
【００３８】
前記押圧部材２３は、図１１（ａ）、（ｂ）に示すように、足場板の側端面に沿う縦板２３ａと、縦板２３ａの上端から水平に張り出して足場板の上端面に沿う横板２３ｂとから構成されており、縦板２３ａの長さ（高さ）Ｌ１は、足場板の厚みより僅かに短めに設定されていると共に、横板２３ｂの張出長さＬ２は、厚みの異なる他の足場板の厚みより僅かに短めに設定されている。
【００３９】
また、前記押圧部材２３の角部には、縦板２３ａから横板２３ｂに渡って、軸部材２２が挿通される長孔２３ｃが形成されており、図１２（ａ）、（ｂ）に示すように、ナット２４を外すことなく、押圧部材２３を同図（ａ）に矢印で示す方向に回転させることで、軸部材２２の挿通位置を変更することができ、厚みの異なる他の足場板を使用する場合は、縦板２３ａを足場板の上面に対応する部分に、横板２３ｂを足場板の側端面に対応する部分に入れ替えた状態で押圧部材２３を使用することができるようになっている。
【００４０】
以上のように構成された固定具２を用いて単管Ｐの上に掛け渡した最端位置の足場板の外側縁部を単管Ｐに固定する足場板の固定方法について、図１３〜図１６を参照しながら説明する。
【００４１】
まず、図１３（ａ）〜（ｃ）に示すように、固定済みの足場板ＳＰに一方の側縁を当接させるように最後の足場板ＳＰを単管Ｐの上に掛け渡した後、図１４（ａ）〜（ｃ）に示すように、固定具２のナット２４を軸部材２２の上端側に移動させ、押圧部材２３の横板２３ｂを足場板ＳＰの上側に位置させた状態で、２個の固定具２を足場板ＳＰの他方の側縁に沿わせてスライドさせることによって、それぞれの係合部材２１を足場板ＳＰの長手方向の両端側に位置する２本の単管Ｐにそれぞれ係合させる。
【００４２】
続いて、図１５（ａ）〜（ｃ）に示すように、電動ドライバーＥＤ等の工具を用いてナット２４を回転操作することによって締め込むと、図１６（ａ）〜（ｃ）に示すように、固定具２の押圧部材２３（横板２３ｂ）によって最端位置の足場板ＳＰの外側縁部が単管Ｐに押圧され、固定具２を介して最端位置の足場板ＳＰが単管Ｐに固定される。
【００４３】
以上のように、この固定具２では、係合部材２１を単管Ｐに横方向から係合させる際、押圧部材２３を足場板ＳＰの外側縁部における上面角部に配置した状態で、足場板ＳＰの側縁に沿わせながらスライドさせることによって係合部材２１を単管Ｐに係合させればよいので、足場板と単管とを番線で固定する場合のように、単管に掛け渡した足場板の前方側に作業者が身を乗り出す必要がなく、作業者が足場板から転落する危険性が大幅に低減される。
【００４４】
また、この固定具２を用いて足場板ＳＰの外側縁部を単管Ｐに固定するには、係合部材２１を単管Ｐに係合させた後、ナット２４をねじ込むだけでよいので、作業者は熟練及び労力を必要とせず、簡単に短時間で足場板を単管に固定することができる。
【００４５】
また、足場を解体する際は、ナット２４を緩めて押圧部材２３による足場板ＳＰの押圧状態を解除した後、係合部材２１を単管Ｐから離反する方向にスライドさせて単管Ｐとの係合を解除すればよいので、単管Ｐに対する足場板ＳＰの固定解除作業も簡単に行うことができ、取り外した固定具２は他の工事現場で繰り返し使用することができる。
【００４６】
また、この固定具２を用いて足場板ＳＰを単管Ｐに固定した状態では、足場板ＳＰの外側縁部の上面角部に配設された押圧部材２３における横板２３ｂの上に軸部材２２の上端部が突出することになるが、その突出位置は最端位置の足場板ＳＰの外側縁部であるので、軸部材２２の突出部が足場板ＳＰ上を歩行する作業者の障害となることもない。
【００４７】
特に、この固定具２は、上述したように、ナット２４を外すことなく、軸部材２２の挿通位置を変更することができ、厚みの異なる他の足場板を使用する場合は、縦板２３ａを足場板の上面に対応する部分に、横板２３ｂを足場板の側端面に対応する部分に入れ替えた状態で押圧部材２３を使用することができるようになっているので、厚みの異なる複数種類の足場板に対応することができる。
【００４８】
なお、上述した固定具１では、操作治具３を用いて押圧板１３を締め込んだり、緩めたりするようになっているが、これに限定されるものではなく、手動工具または電動工具を用いて、押圧板１３自体を直接回転させるようにしてもよい。
【００４９】
また、上述した固定具１では、係合部材１１が、単管Ｐに係合する半円部１１ａの上下端からそれぞれ水平に張り出す直線部１１ｂ、１１ｂを備えているが、これに限定されるものではなく、直線部を省略することも可能である。ただし、直線部１１ｂ、１１ｂを設けておくと、単管Ｐに係合させた係合部材１１が単管Ｐから脱落しにくいという効果が得られる。
【００５０】
また、上述した固定具１、２では、係合部材１１、２１が断面四角形状の金属材料によって形成されているが、これに限定されるものではなく、断面円形状の金属材料によって係合部材を形成することも可能である。ただし、断面四角形状の金属材料によって係合部材１１、２１を形成しておくと、係合部材１１を単管Ｐに係合させたときに単管Ｐから脱落しにくいので、足場板の固定作業時に固定具１、２が落下しにくいという効果がある。
【００５１】
また、上述した固定具２では、押圧部材２３の角部に軸部材２２が挿通される長孔２３ｃが形成されているが、これに限定されるものではなく、横板２３ｂまたは横板２３ｂ及び縦板２３ａの双方に、軸部材２２が挿通可能な円形孔を形成することも可能である。ただし、厚さの異なる足場板に対応するために、横板２３ｂ及び縦板２３ａの双方に円形孔を形成する場合は、足場板に応じて２つの円形孔のいずれか一方に軸部材２２を挿通し直す必要があるので、ナット２４を軸部材２２から取り外すことができるように、ストッパ部材を省略するか、ストッパ部材を着脱自在に設けておく必要がある。
【００５２】
また、上述した固定具２では、押圧部材２３の縦板２３ａ（図１２（ｂ）に示すように、横板２３ｂを縦にして使用する場合は、横板２３ｂ）の長さが、使用する足場板の厚みより僅かに短くなるように設定されているが、縦板２３ａ（横板２３ｂを縦にして使用する場合は横板２３ｂ）の長さが足場板の厚みよりも長い場合であっても、その余剰長さが５ｍｍ程度であれば、ナット２４を締め込むことによって、横板２３ｂ（横板２３ｂを縦にして使用する場合は縦板２３ａ）が先端側に向かって下がり傾斜となるように押圧部材２３が傾き、横板２３ｂまたは縦板２３ａの先端部が足場板ＳＰの上面を押圧することになるので、特に問題なく、足場板を固定することができる。
【産業上の利用可能性】
【００５３】
本発明の固定具及び操作治具は、足場板を単管に固定する際に利用することができる。
【符号の説明】
【００５４】
１、２  固定具
３  操作治具
１１  係合部材
１１ａ  半円部
１１ｂ  直線部
１２  軸部材
１２ａ  ストッパ部材
１３  押圧板
１３ａ  ねじ穴
１３ｂ  嵌合穴（係止部）
２１  係合部材
２２  軸部材
２２ａ  ストッパ部材
２３  押圧部材
２３ａ  縦板
２３ｂ  横板
２３ｃ  長孔
２４  ナット
３１  ベース板
３１ａ  挿通孔
３２  凸部（被係止部）
３３  操作部
３３ａ  中心穴
３４  吊下穴
ＥＤ  電動ドライバー
Ｐ  単管
ＳＰ  足場板
ｓ  傾斜面
【要約】
【課題】足場枠の単管に掛け渡した足場板を単管に安全かつ簡単に固定することができ、しかも、繰り返し使用することができる足場板の固定具を提供する。
【解決手段】足場枠を構成している単管Ｐの上に掛け渡した隣接する２枚の足場板を単管Ｐに固定するための固定具１であって、単管Ｐに横方向から係合可能な横Ｕ字状で断面が四角形状の係合部材１１と、横Ｕ字状の係合部材１１の上面から立ち上がるように係合部材１１に連設された、全ネジによって形成された軸部材１２と、この軸部材１２がねじ込まれた円形状の押圧板１３とから構成されており、押圧板１３が隣接する双方の足場板の側縁部に張り出すように、隣接する足場板間で係合部材１１を単管に横方向から係合させた状態で、押圧板１３を回転させてねじ込むことで、隣接する２枚の足場板の側縁部を単管に押圧して固定するようになっている。
【選択図】        図１【図１】
0005581459.tif 000002
【図２】
0005581459.tif 000003
【図３】
0005581459.tif 000004
【図４】
0005581459.tif 000005
【図５】
0005581459.tif 000006
【図６】
0005581459.tif 000007
【図７】
0005581459.tif 000008
【図８】
0005581459.tif 000009
【図９】
0005581459.tif 000010
【図１０】
0005581459.tif 000011
【図１１】
0005581459.tif 000012
【図１２】
0005581459.tif 000013
【図１３】
0005581459.tif 000014
【図１４】
0005581459.tif 000015
【図１５】
0005581459.tif 000016
【図１６】
0005581459.tif 000017